【事件の表示】
　特願２０１３−１４１６０９号「冷蔵庫」拒絶査定不服審判事件〔平成２７年　１月２２日出願公開、特開２０１５−　１４４２７号、請求項の数（２）〕について、次のとおり審決する。
【結　論】
　原査定を取り消す。
　本願の発明は、特許すべきものとする。
【理　由】
第１　手続の経緯
　本願は、平成２５年７月５日の出願であって、平成２９年２月１０日付けで拒絶理由通知がされ、平成２９年４月１４日付け手続補正書により手続補正がされ、平成２９年９月６日付けで拒絶査定（原査定）がされ、これに対し、平成２９年１２月１２日に拒絶査定不服審判の請求がされると同時に手続補正がされ、平成３０年４月２５日に審判請求人から上申がされたものである。
第２　原査定の概要
　原査定（平成２９年９月６日付け拒絶査定）の概要は次のとおりである。
　本願請求項１に係る発明は、以下の引用文献１−４、６−７に基いて、また、本願請求項２に係る発明は、以下の引用文献１−７に基いて、それぞれ、その発明の属する技術の分野における通常の知識を有する者（以下「当業者」という。）が容易に発明をすることができたものであるから、特許法第２９条第２項の規定により特許を受けることができない。
　　　　　　　　　　　　＜引用文献等一覧＞
１．特開平１１−２１１３３９号公報
２．特開２００３−０７５０４６号公報
３．実願昭５９−００９１９０号（実開昭６０−１２３５８８号）のマイクロフィルム（周知技術を示す文献）
４．特開平０８−１８９７５４号公報（周知技術を示す文献）
５．特開２０００−１６５０６１号公報（周知技術を示す文献）
６.実願昭５０−１１１０２８号（実開昭５２−０２５３７６号）のマイクロフィルム（周知技術を示す文献）
７．特開２０００−０１８８００号公報（周知技術を示す文献）
第３　本願発明
　本願請求項１及び２に係る発明（以下、それぞれ「本願発明１」及び「本願発明２」という。）は、平成２９年１２月１２日付けの手続補正で補正された特許請求の範囲の請求項１及び２に記載された事項により特定される発明であり、以下のとおりの発明である。
「【請求項１】
　貯蔵室を有する冷蔵庫本体と、
　この冷蔵庫本体に設けられた冷却器収容部と、
　この冷却器収容部に配設された冷却器と、
　この冷却器の下方に当該冷却器の除霜時の除霜水を受けるように設けられた樋と、
　前記冷却器を前記貯蔵室側から覆うように設けられた冷却器カバーと、
　この冷却器カバーの裏面側の周縁部に設けられ下部が前記樋の外面に接触するシール部材と、
　前記冷却器カバーの下部を前記冷蔵庫本体に固定する固定手段と、を備え、
　前記固定手段により前記冷却器カバーの下部を前記冷蔵庫本体に固定することにより前記冷却器カバーの下部と前記樋とで前記シール部材を挟んで圧縮する構成とし、
　前記冷却器カバーの下部と前記樋との間で圧縮される部分の前記シール部材の上端部は、当該シール部材と対応する前記樋の上端部とほぼ同位置である構成とし、
　さらに、前記冷却器カバーに、前記樋の上面開口部まで突出する水切りリブを設けたことを特徴とする冷蔵庫。
　　【請求項２】
　前記シール部材は、水分を吸収し難いものであることを特徴とする請求項１記載の冷蔵庫。」
第４　引用文献、引用発明等
１．引用文献１について
　原査定の拒絶の理由に引用された引用文献１には、図面とともに次の事項が記載されている。
「【請求項１】  
断熱箱体内の下部に、断熱仕切壁により上部貯蔵室と仕切られた冷凍室を設けるようにしたものであって、
前記断熱箱体内の奥壁面側に前記断熱仕切壁の上下に跨がる高さに位置して設けられた冷却器と、
前記断熱箱体の奥壁面側に設けられ、前記冷却器からの冷気を冷気供給ダクトを通して各室に供給し、前記上部貯蔵室からの空気を前記冷却器の側方に設けられたリターンダクトを通して該冷却器の下部に戻すための冷気流通機構と、
前記冷却器の下方に設けられ除霜運転時の除霜水を受ける排水樋と、
前面に下部中央部に位置する吸込口とその上部に位置する冷気吹出口とを有し、下部が前記排水樋の前部に突当てられるように設けられて前記冷凍室内の奥壁面を構成すると共に、裏面側が仕切部により上下に仕切られることにより、前記冷気吹出口を冷気供給ダクトに連通させる空間及び前記吸込口を前記リターンダクトの下端部と共に前記冷却器の下部に連通させるように側方に延びる吸込通路を形成する前カバーとを具備し、
前記前カバーの裏面には、前記仕切部の下方部に位置して、該前カバーの裏面における着霜や結露によって生ずる水を後方に案内して前記排水樋へ落とすための案内板部が設けられていることを特徴とする冷蔵庫
「【０００２】
【発明が解決しようとする課題】・・・野菜室と冷凍室とを上下に仕切っている断熱仕切壁の上下に跨がる高さに位置して、冷却器やその周辺構成部品を設けなければならない事情が生じていた。」（当審注」「・・・」は省略を意味する。以下同様である。）
「【０００４】このものは、内箱に断熱仕切壁を予め取付けておいた状態で、断熱箱体の形成（発泡断熱材の現場発泡）を行い、断熱仕切壁の両側縁部を内箱に強固に密着固定するようにしている。そして、断熱仕切壁の後部に確保された組付空間部に対し、冷却器を配設すると共に、ファン装置を取付けたエバカバーと、熱絶縁材等からなるダンパカバーにダンパ装置を組込んだダンパユニットとを上方から嵌込むように取付け、その後、冷気吹出口及び吸込口を有し、冷凍室の奥壁面を形成する前カバーを、冷凍室の前方から取付けるものである。
【０００５】このとき、
前カバーは、前記冷却器の下方部に設けられた排水樋の前部に突当てられてねじ止めされ、これと共に、その排水樋や、内箱、エバカバーとの接触部にエアシール用のソフトテープが貼付けられるようになっている
【０００６】ところで、上記前カバーにおいては、その裏面のうち吸込口側のリターンダクトに連通する部分（仕切壁の下部部分）に、比較的温度が高く湿気を含んだ空気が流通することになるが、冷凍室内との間の温度差により、前カバーの裏面にて結露，氷結（着霜）が生ずる事情がある。このため、冷却器の除霜運転時に、解けた水が、前カバーと排水樋との間のエアシール部分に溜まったり、溜まった水が吸込口部分を通って冷凍室内に流れ落ちる虞があった。
【０００７】本発明は上記事情に鑑みてなされたもので、その目的は、いわゆるボトムフリーザタイプのものにあって、冷凍室の奥壁面を形成する前カバーの裏面における結露，氷結による水が吸込口を通って冷凍室内に流れ落ちることを極力防止することができる冷蔵庫を提供するにある。」
「【００１０】ここで、前記前カバーにおいては、その裏面のうち仕切部の下方部の吸込通路を形成する部分にて結露，氷結（着霜）が生ずる事情があり、冷却器の除霜運転時に、その水が解けて流れるようになるが、その水は、案内板部によって後方に案内され、前カバーと排水樋との間のエアシール部分に溜まったり吸込口部分を通って冷凍室内に流れ落ちることなく、排水樋に落とされるようになる。」
「【００１６】これによれば、前カバーにおいて、結露，氷結（着霜）が生じやすい部分に、熱絶縁材を設けたので、結露，着霜を極力防止することができ、しかも、その熱絶縁材の背面に水切板が設けられているので、多少の結露，着霜があっても、それが解けた水は、水切板によって排水樋に落とされるようになる。」
「【００１７】
【発明の実施の形態】以下、本発明のいくつかの実施例について図面を参照しながら説明する。
（１）第１の実施例
まず、図１ないし図８を参照して、本発明の第１の実施例（請求項１に対応）について述べる。
【００１８】図５及び図６は、本実施例に係るボトムフリーザタイプの
冷蔵庫の本体１
本体１は、前面が開口した縦長矩形箱状の断熱箱体２内に、上下３段に貯蔵室を有して構成されている。
【００１９】
この本体１内に構成される３つの貯蔵室は、上から順に、冷蔵室６、野菜室７、冷凍室８とされており
「【００２１】そして、前記冷凍室８は、例えば約−１８℃の温度帯とされるようになっており、前記野菜室７とこの冷凍室８との間は、図７にも示すように、断熱仕切壁１６により上下に仕切られている。この断熱仕切壁１６は、ほぼ薄形矩形箱状をなすプラスチック製の外殻体１６ａ内に、発泡スチロール等の断熱材１６ｂを設けて構成されている。また、断熱仕切壁１６の前端部には、内部に防露パイプ等が配設される仕切カバー１７が取付けられるようになっている。」
「【００２４】図８に示すように、この排水樋２４は、除霜運転時の除霜水を受けるためのもので、横長の矩形容器状をなし、その底部の出口部２４ａが、排水口２５（図５参照）に接続されている。この排水口２５は、前記傾斜状断熱壁２３を貫通し、その下端部が前記機械室２０内の除霜水蒸発皿２２の上方に位置されている。そして、図８に示すように、この排水樋２４の前面部には、３箇所に位置して、後述する前カバーを取付けるためのねじ止めボス部２４ｂが一体に形成されている。また、この排水樋２４内には、前記冷却器１８の真下に位置される除霜用ヒータ２６が配設されている。」
「【００２７】前記冷気流通機構３３は、前記冷却器１８の前面を覆うように配置されると共にファン装置３４が取付けられるエバカバー３５や、そのエバカバー３５の上半部の前面側に設けられ内部にダンパ装置３６が組込まれると共に前記野菜室の奥壁を構成するダンパユニット３７を備えて構成されている。そして、前記エバカバー３５の下半部の前面側に位置して、前記冷凍室８の奥壁面を構成する前カバー３８が設けられるようになっている。」
「【００３４】さて、前記前カバー３８について、図１ないし図４も参照して述べる。図５等に示すように、この前カバー３８は、プラスチックからなり、冷凍室８の奥壁面を構成するほぼ矩形状の主板部３８ａと、その主板部３８ａの側縁部から後方に折曲がる側壁部３８ｂとを一体に有している。
この前カバー３８は、前記エバカバー３５の下半部のやや前方に位置して、前記断熱仕切壁１６の後端部下面部と、前記排水樋２４の前面との間に上下にかけ渡される形態で取付けられるようになっている
「【００３５】このとき、図７及び図１に示すように、この前カバー３８（主板部３８ａ）の下辺部には、３箇所に位置して前方に突出する（裏面側で凹となる）ボス部３８ｃが設けられており、これらボス部３８ｃが、前記排水樋２４のねじボス部２４ｂに夫々嵌挿された形態で、前面側からねじ止めされることにより、前カバー３８が取付けられるようになっている。また、図１，図７に示すように、前記主板部３８ａの右側部下部には、前記リターンダクト１９の下端部と排水樋２４との間の隙間部分の前面を塞ぐ延出部３８ｄが一体に設けられている。」
「【００４０】尚、
この前カバー３８を取付けるに際しては、その裏面側には、上縁部及び吸込口４４の下端部を除く周縁部、及び、仕切壁４７の後端部にソフトテープ等のシール材４９（図２〜図４に一部のみ図示）が設けられ、断熱箱体２（内箱３）やエバカバー３５、排水樋２４の前面との間のエアシールがなされるようになっている
【００４１】そして、前カバー３８の裏面には、図１に示すように、前記仕切壁４７の下方部のうち吸込口４４の左右部に夫々位置して、後方へ突出するリブ状の案内板部５０，５０が一体に設けられている。これら案内板部５０は、中央側（吸込口４４側）に向けて緩やかに傾斜するように横方向に延び、図３，図４にも示すように、その中央側の端部から上方に延びる縦壁部５０ａを一体に有して構成されている。また、図２に示すように、この案内板部５０の後方への突出長さは、仕切壁４７よりもやや短く構成されている。後の作用説明にて述べるように、この案内板部５０は、前カバ３８ーの裏面における着霜や結露によって生ずる水を後方に案内して前記排水樋２４内に確実に落とす機能を有している。尚、このとき、吸込口４４部分においては昇華が行われるため、水滴となることはない。」
「【００４９】ところが、本実施例では、図２に示すように、前カバー３８の裏面の結露，着霜する部分の下方部に、案内板部５０が設けられているので、解けた水は、案内板部５０によって後方に案内され、排水樋２４の前端部ではなくそれよりも後方にて落下するようになる。これにて、その水はエアシール部分に落ちることはなく確実に排水樋２４内に落下することになり、冷却器１８の除霜水と共に排出されるようになるのである。また、案内板部５０の中央側端部に縦壁部５０ａが設けられているので、解けた水が、中央側に流れてそのまま吸込口４４部分に落下することも未然に防止することができるのである。」
「図２
」
「図５
」
　また、排水樋（２４）と前カバー（３８）とをエアシール（【００４０】）するためには、シール材（４９）の挟持部は圧縮されることが技術常識であり、他方、該シール材（４９）について、図２を参照すると、シール材（４９）の上端部が圧縮されていない態様で挟持されていることが看取できる。
　したがって、上記記載事項を総合すると、引用文献１には次の発明（以下「引用発明」という。）が記載されていると認められる。
「断熱箱体内の下部に、断熱仕切壁により上部貯蔵室と仕切られた冷凍室を設けるようにした冷蔵庫本体と、
　前記断熱箱体内の奥壁面側に前記断熱仕切壁の上下に跨がる高さに位置して設けられた冷却器と、
　前記断熱箱体の奥壁面側に設けられ、前記冷却器からの冷気を冷気供給ダクトを通して各室に供給し、前記上部貯蔵室からの空気を前記冷却器の側方に設けられたリターンダクトを通して該冷却器の下部に戻すための冷気流通機構と、
　前記冷却器の下方に設けられ除霜運転時の除霜水を受ける排水樋と、
　前面に下部中央部に位置する吸込口とその上部に位置する冷気吹出口とを有し、下部が前記排水樋の前部に突当てられるように設けられて前記冷凍室内の奥壁面を構成すると共に、裏面側が仕切部により上下に仕切られることにより、前記冷気吹出口を冷気供給ダクトに連通させる空間及び前記吸込口を前記リターンダクトの下端部と共に前記冷却器の下部に連通させるように側方に延びる吸込通路を形成する前カバーとを具備し、
　前記前カバーは、前記断熱仕切壁の後端部下面部と、前記排水樋の前面との間に上下にかけ渡される形態で取付けられ、前記冷却器の下方部に設けられた前記排水樋の前部に突当てられてねじ止めされ、これと共に、前記排水樋や、内箱、エバカバーとの接触部にエアシール用のソフトテープ等のシール材が貼付けられるようになっていて、
　前記排水樋と前記前カバーとの間に、前記シール材の下方側部が圧縮され、前記シール材の上端部が圧縮されていない態様で挟持されていて、 
　前記前カバーの裏面には、前記仕切部の下方部に位置して、該前カバーの裏面における着霜や結露によって生ずる水を後方に案内して前記排水樋へ落とすための案内板部が設けられている、
冷蔵庫。」
２．引用文献２について
　また、原査定の拒絶の理由に引用された上記引用文献２には、以下の事項が記載されている。
「【請求項１】  内箱と、該内箱内に設けられた食品収納室と、該食品収納室と前記内箱との間に設けられ、冷却器を収納する冷却器収納室と、前記食品収納室と前記冷却器収納室とを仕切るファングリルとを有し、前記ファングリルに断熱体を収納したものを前記冷却器を介在させた状態で前記内箱に接合するようにし、その接合部分を、一方を凸形状、他方を凹形状としたことを特徴とする冷蔵庫。」
「【請求項７】  前記接合部分にシール材を介在させたことを特徴とする請求項１乃至請求項６の何れかに記載の冷蔵庫。」　
「【００２１】この冷却器収納室７を組み立てる際には、図２に示すように、外箱２と内箱３との間に断熱体４を充填した冷蔵庫本体５内に、冷却器１２と霜取ヒータ１４を配置し、続いて図３に示すように、ファングリル１１内に、断熱体１８と、送風機１３が取り付けられたベルマウス１６とを収納して組み立て体を構成するとともに、この組み立て体における凹形状２４（図１参照）を、内箱３において冷却器１２の左右に位置する部分に形成された凸形状２１に嵌合する。そして、ファングリル１１の左右から外方に延出するリブ１１ａに設けられた取付孔１１ｂにネジ２５を通し、内箱３に固定することで組み立てを行う。」
３．その他の文献について
　また、拒絶理由通知において、周知技術を示す文献として引用された引用文献３には、次の事項が記載されている。
「〔考案の背景〕
　この種冷蔵庫の背面シール構造は第２図に示すようなものがある。１は内箱で、２はアトイタである。４は内箱１とアトイタ２の間に充填した断熱材３の中に、内箱１とアトイタ２の間を貫通する空間を設けるべく設置した収納ケースであり、庫内側に設置した蒸発器（図示せず）に接続する配管６を収納する空間を有している。７は前記配管６を収納した空間を庫外の空気と遮断すべく、収納ケース４背面側開口部を閉塞する断熱蓋体で、挿入部７ａ全周には前記収納ケース内壁４ａ全周に当接する弾力性を有したシール材８を取付けている。
　該シール材８は前記した如く、収納ケース４に収納した配管６を庫外の空気から遮断すべく設けられている。９は前記シール材８同様、配管６を庫外の空気から遮断する目的で、断熱蓋体７のツバ部７ｂ全周に配設したひも状シール材（パテ）であり、断熱蓋体７のツバ部７ｂとアトイタ２の間で圧押して取付けられる。１０はカバーであり、断熱蓋体７を覆うべく取付けられている。
　本構造に於ては、収納ケース内壁４ａ部と断熱蓋体挿入部７ａ間でシール材８を圧縮させて庫外の空気を遮断する構造である為、シール材８の圧縮代が少ない場合は、収納ケース４の発泡時の発泡圧力による変形代を吸収できずシールが完全にできず、又、圧縮代を多く取りすぎた場合は、断熱蓋体７挿入時、シール材８が収納ケース４開口部端面に引掛り、取付作業性が悪くなるなど、シ−ル性と作業性の相反した要素を満足する圧縮代（シール寸法）を得ることは非常に困難であった。」（２〜３ページ）
　同じく引用文献４には、次の事項が記載されている。
「【００２７】・・・排水パイプ１２のフランジ部周囲に独立気泡で形成されたシールテープ１７が設けられ、水受け部２１の底部２１ａの裏側に押圧して設置されている。排水パイプ１２は断熱材１６を貫通して下方に延設されている。
【００２８】次に動作について説明する。冷却器９から滴下した除霜水は露受け皿２０に落下し、排水筒２０ａに集まって排水パイプ１２を通り冷蔵庫の下方に設けられた蒸発皿１３に流れる。発泡スチロールにより成形された断熱材１６は、その表面を水受け部２１を一体に成形した内箱３で覆われているので、除霜水は直接断熱材１６に接触することはない。また、排水用筒２０ａより流れ出る除霜水は表面張力や毛細管作用によって水受け部２１の底部２１ａを伝わって断熱材１６の方向へ流れることがあるが、排水用筒２０ａの先端が水受け部２１の凹部２１ｂの孔２１ｃを貫通し、凹部２１ｂの面より下方へ突出しているため水切りが良く、さらに水受け部２１の凹部２１ｂの底部中央は段差をもってさらに低く形成されているので二重の水切り構造となり、除霜水の回り込みによる断熱材１６への水の付着はなくなる。
【００２９】また、排水パイプ１２の先端に配設されたシーリングテープ１７が水受け部２１の底部２１ａに排水パイプ１２で押圧してシールしているので、冷蔵庫外部から排水パイプ１２の開口部を通って進入する暖かい湿った外気が水受け部２１の底部２１ａに接触して結露しても、断熱材まで水は染み込むことはない。」
　同じく引用文献５には、次の事項が記載されている。
「【００２７】図８（Ａ）は、上記のようにして電線群Ｄを挿通したグロメット１０の小径筒部１０ａの軸線方向断面図であり、グロメット１０の線間止水構造を示している。小径筒部１０ａの内径は前述したように、電線群Ｄの径以下であるため、小径筒部１０ａは発泡シート１１を圧縮して、発泡シート１１及び小径筒部１０ａの内壁との間の隙間を残存しないようにしている。また、小径筒部１０ａの三箇所の突起１０ｄでは、特に、密嵌が強くなり、密閉性をより高めている。
【００２８】また、図８（Ｂ）は、突起１０ｄにおけるグロメット１０の小径筒部１０ａの軸直角方向断面図である。発泡シート１１は強く圧縮されて、発泡シート１１の多数の独立気泡１１ａを確実に押しつぶし、発泡シート１１同士の隙間等も密着されると共に、夫々電線間等や電線と小径筒部１０ａ内壁との間等のあらゆる隙間に、発泡シート１１は変形して入り込んでいる。上記のような線間止水構造を有することで、グロメット１０における止水性を高めることができる。
【００２９】また、三箇所の突起１０ｄ以外の箇所で、圧縮が不足することにより独立気泡１１ａが完全に押しつぶされなくても、各気泡は連通していないため、毛細管現象が生じることもない。同様に、圧縮不足により発泡シート１１と小径筒部１０ａの内壁等との隙間が完全に密閉されなくても、突起１０ｄを設けた箇所で確実に密閉されているので、浸水を突起１０ｄの設置箇所で止めることができる。」　
　さらに、拒絶査定において周知技術を示す文献として引用された引用文献６には、次の事項が記載されている。
「５はとい（樋）で、冷凍室内箱背面下部に８の可撓性パツキンを介して９のネジで固着されている。」（２ページ）
「
」
　同じく、引用文献７には、次の事項が記載されている。
「【００５９】蒸発皿１１０の前壁１３０には、三角形状のヒレ部１３４が設けられている。このヒレ部１３４は、機械室４８の傾斜した壁１３２に対応しており、蒸発皿１１０を配した場合には、図９に示すように、ヒレ部１３４と前壁１３２との間にシール部材１３６を配して熱風が漏れないようにしておく。」
「図９
」
第５　対比・判断
１．本願発明１について
（１）対比
　本願発明１と引用発明とを対比すると、各文言の意味、機能または作用等からみて、引用発明の「上部貯蔵室」、「冷凍室」は本願発明１の「貯蔵室」に相当し、以下同様に、 
「冷蔵庫本体」は「冷蔵庫本体」に、 
「冷却器」は「冷却器」に、 
「排水樋」は「樋」に、 
「前カバー」は「冷却器カバー」に、 
「シール材」は「シール部材」に、
「ねじ」は「固定手段」に、 
「案内板部」は「水切りリブ」に、
「冷蔵庫」は「冷蔵庫」に、それぞれ相当する。
　引用発明の「前記断熱箱体内の奥壁面側に前記断熱仕切壁の上下に跨がる高さに位置して設けられた冷却器と、
　前記断熱箱体の奥壁面側に設けられ、前記冷却器からの冷気を冷気供給ダクトを通して各室に供給し、前記上部貯蔵室からの空気を前記冷却器の側方に設けられたリターンダクトを通して該冷却器の下部に戻すための冷気流通機構と」を備えることは、冷却器を収容する部分を有して、冷却器を配設するものであることは明らかであるから、本願発明１の「この冷蔵庫本体に設けられた冷却器収容部と、この冷却器収容部に配設された冷却器と」を備えることに相当する。
　引用発明の「前面に下部中央部に位置する吸込口とその上部に位置する冷気吹出口とを有し、下部が前記排水樋の前部に突当てられるように設けられて前記冷凍室内の奥壁面を構成すると共に、裏面側が仕切部により上下に仕切られることにより、前記冷気吹出口を冷気供給ダクトに連通させる空間及び前記吸込口を前記リターンダクトの下端部と共に前記冷却器の下部に連通させるように側方に延びる吸込通路を形成する前カバー」は、引用文献１の図５でみて、前カバー３８が貯蔵室側から冷却器１８を覆うように設けられているといえるから、本願発明１の「前記冷却器を前記貯蔵室側から覆うように設けられた冷却器カバー」に相当する。
　引用発明の「前カバー」が「前記排水樋や、内箱、エバカバーとの接触部にエアシール用のソフトテープ等のシール材が貼付けられるようになってい」る態様は、引用文献１の図２でみて、前カバー３８の下方に設けられているシール材４９の下部が排水樋２４の外面に接触しているので、本願発明１の「この冷却器カバーの裏面側の周縁部に設けられ下部が前記樋の外面に接触するシール部材」を備える態様に相当する。
　そして、引用発明の「前記前カバーは、前記断熱仕切壁の後端部下面部と、前記排水樋の前面との間に上下にかけ渡される形態で取付けられ、前記冷却器の下方部に設けられた前記排水樋の前部に突当てられてねじ止めされ」ている態様は、断熱仕切壁を含む冷蔵庫本体に前カバーの下部が固定されているともいい得るから、本願発明１の「固定手段」が「前記冷却器カバーの下部を前記冷蔵庫本体に固定する」態様に相当する。
　そうすると、引用発明の「前記排水樋と前記前カバーとの間に、前記シール材の下方側部が圧縮され」た構成は、本願発明１の「前記固定手段により前記冷却器カバーの下部を前記冷蔵庫本体に固定することにより前記冷却器カバーの下部と前記樋とで前記シール部材を挟んで圧縮する構成」に相当する。
　また、引用発明の「前記排水樋と前記前カバーとの間に、前記シール材の下方側部が圧縮され、前記シール材の上端部が圧縮されていない態様で挟持されてい」ることは、引用文献１の図２でみて、シール材４９が前カバー３８と排水樋２４で挟持されて圧縮されている部分が排水樋２４の上端部とほぼ同位置であることから、本願発明１の「前記冷却器カバーの下部と前記樋との間で圧縮される部分の前記シール部材の上端部は、当該シール部材と対応する前記樋の上端部とほぼ同位置である構成とし」ていることと、「シール部材が前記冷却器カバーの下部と前記樋との間で圧縮される部分は、当該シール部材と対応する前記樋の上端部とほぼ同位置である構成」を有している限りで一致している。
　さらに、引用発明の「前記前カバーの裏面には、前記仕切部の下方部に位置して、該前カバーの裏面における着霜や結露によって生ずる水を後方に案内して前記排水樋へ落とすための案内板部が設けられている」ことは、引用文献１の図２でみて、案内板部５０が排水樋２４の上面開口部まで突出しているから、本願発明１の「前記冷却器カバーに、前記樋の上面開口部まで突出する水切りリブを設けたこと」に相当する。
　したがって、本願発明１と引用発明との間には、次の一致点、相違点があるといえる。
（一致点）
「貯蔵室を有する冷蔵庫本体と、
　この冷蔵庫本体に設けられた冷却器収容部と、
　この冷却器収容部に配設された冷却器と、
　この冷却器の下方に当該冷却器の除霜時の除霜水を受けるように設けられた樋と、
　前記冷却器を前記貯蔵室側から覆うように設けられた冷却器カバーと、
　この冷却器カバーの裏面側の周縁部に設けられ下部が前記樋の外面に接触するシール部材と、
　前記冷却器カバーの下部を前記冷蔵庫に固定する固定手段と、を備え、
　前記固定手段により前記冷却器カバーの下部を前記冷蔵庫本体に固定することにより前記冷却器カバーの下部と前記樋とで前記シール部材を挟んで圧縮する構成とし、
　前記シール部材が前記冷却器カバーの下部と前記樋との間で圧縮される部分は、当該シール部材と対応する前記樋の上端部とほぼ同位置である構成とし、
　さらに、前記冷却器カバーに、前記樋の上面開口部まで突出する水切りリブを設けた、冷蔵庫。」
（相違点）
　シール部材が冷却器カバーの下部と樋との間で圧縮される部分は、当該シール部材と対応する前記樋の上端部とほぼ同位置である構成について、本願発明１は、「前記冷却器カバーの下部と前記樋との間で圧縮される部分の前記シール部材の上端部は、当該シール部材と対応する前記樋の上端部とほぼ同位置である構成」を備えるとしているのに対し、引用発明は、「前記排水樋と前記前カバーとの間に、前記シール材の下方側部が圧縮され、前記シール材の上端部が圧縮されていない態様で挟持されてい」るとしている点。
（２）相違点についての判断
　相違点に係る本願発明１の「前記冷却器カバーの下部と前記樋との間で圧縮される部分の前記シール部材の上端部」との特定は、本願発明１のシール部材の上端部は、冷却器のカバーと樋とで挟まれて圧縮されている態様を特定しているものと認められる。そして、本願発明１は、そのような「前記シール部材の上端部」が「当該シール部材と対応する前記樋の上端部とほぼ同位置である構成と」するものである。
　一方、引用発明において、シール材は、シール材の下方側部は挟持されて圧縮されるものの、シール材の上端部は圧縮されないものであり、引用文献２〜５をみても、前カバーと排水樋とに挟持されるシール材及びシール材の上端部と排水樋の上端部との配置態様についての記載はない。
　また、周知例として示された引用文献６には、樋を冷凍室内箱背面下部に可撓性パッキンを介してネジで固着する態様が開示されているが、引用文献６の第４図は寸法等の付与された精緻な図面ではなく、同図の記載を併せてみても、その詳細は不明であるというべきであるから、引用発明の圧縮されてないシール材の上端部を極めて小さくしたり、除去するなどの記載ないし示唆があるとはいえない。
　この点については、引用文献７も同様である。
　加えて、引用発明は、「【０００６】ところで、上記前カバーにおいては、その裏面のうち吸込口側のリターンダクトに連通する部分（仕切壁の下部部分）に、比較的温度が高く湿気を含んだ空気が流通することになるが、冷凍室内との間の温度差により、前カバーの裏面にて結露，氷結（着霜）が生ずる事情がある。このため、冷却器の除霜運転時に、解けた水が、前カバーと排水樋との間のエアシール部分に溜まったり、溜まった水が吸込口部分を通って冷凍室内に流れ落ちる虞があった。」という課題を解決するために、「案内板部」を設けることをその主要な構成としている（引用文献１：「【００１０】ここで、前記前カバーにおいては、その裏面のうち仕切部の下方部の吸込通路を形成する部分にて結露，氷結（着霜）が生ずる事情があり、冷却器の除霜運転時に、その水が解けて流れるようになるが、その水は、案内板部によって後方に案内され、前カバーと排水樋との間のエアシール部分に溜まったり吸込口部分を通って冷凍室内に流れ落ちることなく、排水樋に落とされるようになる。」参照。）。
　そうすると、引用発明において、シール材の上端部と排水樋の上端部との配置関係に着目する動機付けも特段認めることができない。
　以上のとおりであるから、引用発明において、排水樋と前カバーとの間に、シール材が、シール材の上端部を圧縮していない態様で挟持されているものを、シール材の上端部を圧縮させて、その上端部を当該シール材と対応する前記排水樋の上端部とほぼ同位置である構成とすることを、当業者が容易
に想到し得たということはできない。
　そして、本願発明１は、当該構成を採用することにより、「本願発明によれば、冷却器カバーと樋との間に、シール部材の上端部を底部とする溝が形成されない構成、あるいは、溝が形成されたとしてもその深さが僅かとなる構成」とし、「シール部材を冷却器カバーの下部と樋との間で挟圧してシール性の向上を図りつつ、そのシール部材の大きさを『溝が形成されない程度の最小限の大きさ』に抑えることができ、シール部材の使用量を抑えることができ、製造コストの抑制を図ることができます。」（平成２９年４月１４日意見書「３−２」参照。）との効果を奏し、ひいては、「冷却器カバーの裏面側の周縁部にシール部材を設けたものにおいて、冷却器カバーの下部から庫内側への落水を防止できる冷蔵庫を提供する。」（【０００４】）との課題を解決するものと認められる。
　したがって、本願発明１は、当業者であっても、引用発明及び引用文献２〜４、６、７に記載された技術的事項に基いて容易に発明をすることができたものであるとはいえない。
２．本願発明２について
　本願発明２も、上記相違点に係る本願発明１と同一の構成を備えるものであるから、本願発明１と同じ理由により、当業者であっても、引用発明及び引用文献２〜７に記載された技術的事項に基いて容易に発明をすることができたものとはいえない。
第６　原査定について
理由２（特許法第２９条第２項）について
　審判請求時の補正により、本願発明１及び２は、「前記冷却器カバーの下部と前記樋との間で圧縮される部分」について、「前記シール部材の上端部は、当該シール部材と対応する前記樋の上端部とほぼ同位置である構成」を備えるという事項を有するものとなっており、当業者であっても、拒絶査定において引用された引用文献１〜７に基いて、容易に発明をすることができたものとはいえない。
　したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。